(57)【要約】【課題】正確公正な時刻情報を元にファクシミリの送信時刻を生成して、この正確公正な時刻から成るタイムスタンプ情報を受信した紙面に印刷すると共に、この印刷されたタイムスタンプ情報から送信時刻の確認と事後の検証を可能と成し、且つ、ファクシミリ送信された情報と送信時刻の改ざんを防止して、不正利用されないように工夫したファクシミリ用送信情報改ざん防止方法及びその装置を提供する。【解決手段】原稿２０を発信側ＦＡＸ１から受信側ＦＡＸ３に送信するに当って、原稿２０の所定領域２２と、イメージ２１の出力領域の一部又は全部に渡って、送信時刻をシンボル化又はデザイン化したタイムスタンプ印影２３，２４を印刷して出力する。【選択図】      図４
2004253941.tif 000002
【特許請求の範囲】
【請求項１】
ファクシミリで送信されるイメージと送信時刻情報から成るデ−タを、改ざん困難又は不可能な形式で受信側のファクシミリに伝送して出力用紙に出力するファクシミリ用送信情報改ざん防止方法であって、
データの送信に際して、少くとも上記の送信時刻情報を含んだタイムスタンプ情報を作成し、このタイムスタンプ情報をイメージと共に受信側のファクシミリに伝送して、上記出力用紙の所定領域と、イメージが出力される出力領域の一部又は全域に渡って夫々出力せしめると共に、該イメージ出力領域の一部又は全域に渡って出力されるタイムスタンプ情報が、イメージ出力領域に出力されるイメージの視認性を妨げない書体或は濃度等で作成した透し印字の状態で出力されることを特徴とするファクシミリ用送信情報改ざん防止方法。
【請求項２】
出力用紙の所定領域と、イメージ出力領域の一部又は全部に渡って出力されるタイムスタンプ情報が、送信時刻情報を元にして印影状にシンボル化又はデザイン化されていることを特徴とする請求項１に記載のファクシミリ用送信情報改ざん防止方法。
【請求項３】
送信時刻情報が、時刻配信機関から配信される信頼できる正確公正な時刻であることを特徴とする請求項１又は２に記載のファクシミリ用送信情報改ざん防止方法。
【請求項４】
送信に際して作成されるタイムスタンプ情報に、少くとも発信側ファクシミリ番号を含む発信側識別子と、受信側ファクシミリ番号を含む受信側識別子が含まれていることを特徴とする請求項１、２又は３に記載のファクシミリ用送信情報改ざん防止方法。
【請求項５】
ファクシミリで送信されるイメージと送信時刻情報から成るデ−タを、改ざん困難又は不可能な形式で受信側のファクシミリに伝送して出力用紙に出力するファクシミリ用送信情報改ざん防止装置であって、
データの送信に際して、内部時計に基づく上記送信時刻情報を含むタイムスタンプ情報を作成するタイムスタンプ情報作成手段と、
このタイムスタンプ情報を受信側のファクシミリに対して受信情報として伝送して、上記出力用紙の所定領域に出力せしめるタイムスタンプ情報出力手段と、
上記伝送されるタイムスタンプ情報の一部又は全部を、上記イメージが出力される上記出力用紙におけるイメージ出力領域の一部又は全文に渡って、該イメージの視認性を妨げない書体或は濃度等から成る透し印字の状態で出力せしめる透しタイムスタンプ情報出力手段、
とを備えて成ることを特徴とするファクシミリ用送信情報改ざん防止装置。
【請求項６】
送信時刻を生成する内部時計が、高精度時計を所有する時刻配信機関によって校正可能な時計であることを特徴とする請求項５に記載のファクシミリ用送信情報改ざん防止装置。
【請求項７】
上記のタイムスタンプ情報作成手段に、送信時刻情報、又は、送信時刻情報と発信側ファクシミリ番号を含む発信側識別子と受信側ファクシミリ番号を含む受信側識別子を、印影状にシンボル化或はデザイン化して生成するタイムスタンプ情報印影作成機能が具備されていることを特徴とする請求項５又は６に記載のファクシミリ用送信情報改ざん防止装置。
【請求項８】
送信する原稿の読取りに際して、原稿の所定領域に上記のタイムスタンプ情報が記録されているか否かを判定するタイムスタンプ情報読取り手段と、
該所定領域にタイムスタンプ情報の存在を読取った場合に、受信側のファクシミリに対して該タイムスタンプ情報を無効にする情報を受信情報として送信して、上記タイムスタンプ情報が記録されている所定領域とイメ−ジ出力領域のいずれか一方又は両方に対して、該タイムスタンプ情報を無効とする処理を行うタイムスタンプ情報無効処理手段と、
該所定領域にタイムスタンプ情報以外の情報の存在を読取った場合に、タイムスタンプ情報を出力用紙に出力せずに、送信データのみを送信するタイムスタンプ情報非出力手段、
とを具備せしめたことを特徴とする請求項５、６又は７に記載のファクシミリ用送信情報改ざん防止装置。
【発明の詳細な説明】
【０００１】
【発明の属する技術分野】
本発明は、各種の書類を電話回線を介して送受信することができるファクシミリ装置に関するものであって、具体的には、送信されたイメージやその送信時刻の改ざんを防止することができる機能を備えたファクシミリ用送信情報改ざん防止方法とその装置に関するものである。
【０００２】
【従来の技術】
インターネット環境の普及充実にともない、各種情報はｗｅｂページで公開したり、電子メールやその添付ファイルとして配信されることが多くなってきた。然し乍ら、受信側の環境が未整備であったり、配信された証拠性を持たせるために紙ベースで情報を受信するファクシミリも依然として大きな存在である。
【０００３】
現状のファクシミリを用いてイメージ（情報）を送信する場合、受信側のファクシミリで再生出力される記録媒体（出力用紙）に対しては、発信側又は受信側のファクシミリが持つ時刻が自動的に印字出力される仕組に成っており、また、一般的には出力される時刻として受信側ファクシミリの時刻が多く利用されていることが知られている。（例えば特許文献１参照）
【０００４】
【特許文献】
特開昭５７−１１３６６４号公報
【０００５】
【発明が解決しようとする課題】
しかし、上記発信側又は受信側の各ファクシミリの内部時計に由来する時刻については、内部時計は手動操作により簡単に変更可能である点から、送信した時点での時刻情報がどの程度正確であったか否かの検証が不可能であり、加えて、送信された紙面上の情報には、時刻を証明、検討する手段を持つことができないため、証拠性に欠ける問題があった。
【０００６】
従って、仮りに受信側のファクシミリが持つ時計時刻が正確でなかったり、受信側ファクシミリの時計を不正に変更したり、或は、出力用紙に印字された時刻情報を改ざんした場合には、発信側がいくら正しい時刻に書類等を送信したとしても、受信側ファクシミリが不正確又は不正な時刻を印字出力したり、受信側が不正な時刻に改ざんしてしまう可能性があり、場合によっては、発信側にとってこの不正確又は不正な時刻が各種不利益の発生原因と成ってしまう問題があった。
【０００７】
更に、ファクシミリが送信した情報（イメージ）が不正にコピーされたり、不正にコピーされたものや内容が改ざんされたものが、第三者に対して不正に利用されたり、或は、ファクシミリで再送信されたりする危険性もあって、その改善が望まれていた。
【０００８】
本発明は上述した点に鑑み開発されたものであって、その技術的課題は、正確公正な時刻情報を元にファクシミリの送信時刻を生成して、この正確公正な時刻から成るタイムスタンプ情報を受信した出力紙面に印刷すると共に、この印刷されたタイムスタンプ情報から送信時刻の確認と事後の検証を可能と成し、加えて、ファクシミリ送信された情報と送信時刻の改ざんを防止して、不正利用されないように工夫したファクシミリ用送信情報改ざん防止方法とその装置を提供することである。
【０００９】
【課題を解決するための手段】
（１）  上記の技術的課題を解決するために、本発明に係るファクシミリ用送信情報改ざん防止方法は、ファクシミリで送信されるイメージと送信時刻情報から成るデ−タを、改ざん困難又は不可能な形式で受信側のファクシミリに伝送して出力用紙に出力するファクシミリ用送信情報改ざん防止方法であって、データの送信に際して、少くとも上記の送信時刻情報を含んだタイムスタンプ情報を作成し、このタイムスタンプ情報をイメージと共に受信側のファクシミリに伝送して、上記出力用紙の所定領域と、イメージが出力される出力領域の一部又は全域に渡って夫々出力せしめると共に、該イメージ出力領域の一部又は全域に渡って出力されるタイムスタンプ情報が、イメージ出力領域に出力されるイメージの視認性を妨げない書体或は濃度等で作成した透し印字の状態で出力されることを特徴とするものである。
【００１０】
（２）  また、本発明に係るファクシミリ用送信情報改ざん防止方法は、出力用紙の所定領域と、イメージ出力領域の一部又は全部に渡って出力されるタイムスタンプ情報が、送信時刻情報を元にして印影状にシンボル化又はデザイン化されていることを特徴とするものである。
【００１１】
（３）  また、本発明に係るファクシミリ用送信情報改ざん防止方法は、送信時刻情報が、時刻配信機関から配信される信頼できる正確公正な時刻であることを特徴とするものである。
【００１２】
（４）  更に本発明に係るファクシミリ用送信情報改ざん防止方法は、送信に際して作成されるタイムスタンプ情報に、少くとも発信側ファクシミリ番号を含む発信側識別子と、受信側ファクシミリ番号を含む受信側識別子が含まれていることを特徴とするものである。
【００１３】
（５）  次に、本発明に係るファクシミリ用送信情報改ざん防止装置は、ファクシミリで送信されるイメージと送信時刻情報から成るデ−タを、改ざん困難又は不可能な形式で受信側のファクシミリに伝送して出力用紙に出力するファクシミリ用送信情報改ざん防止装置であって、データの送信に際して、内部時計に基づく上記送信時刻情報を含むタイムスタンプ情報を作成するタイムスタンプ情報作成手段と、このタイムスタンプ情報を受信側のファクシミリに対して受信情報として伝送して、上記出力用紙の所定領域に出力せしめるタイムスタンプ情報出力手段と、上記伝送されるタイムスタンプ情報の一部又は全部を、上記イメージが出力される上記出力用紙におけるイメージ出力領域の一部又は全文に渡って、該イメージの視認性を妨げない書体或は濃度等から成る透し印字の状態で出力せしめる透しタイムスタンプ情報出力手段、とを備えて成ることを特徴とするものである。
【００１４】
（６）  また、本発明に係るファクシミリ用送信情報改ざん防止装置は、送信時刻を生成する内部時計が、高精度時計を所有する時刻配信機関によって校正可能な時計であることを特徴とするものである。
【００１５】
（７）  また、本発明に係るファクシミリ用送信情報改ざん防止装置は、上記のタイムスタンプ情報作成手段に、送信時刻情報、又は、送信時刻情報と発信側ファクシミリ番号を含む発信側識別子と受信側ファクシミリ番号を含む受信側識別子を、印影状にシンボル化或はデザイン化して生成するタイムスタンプ情報印影作成機能が具備されていることを特徴とするものである。
【００１６】
（８）  更に本発明に係るファクシミリ用送信情報改ざん防止装置は、送信する原稿の読取りに際して、原稿の所定領域に上記のタイムスタンプ情報が記録されているか否かを判定するタイムスタンプ情報読取り手段と、該所定領域にタイムスタンプ情報の存在を読取った場合に、受信側のファクシミリに対して該タイムスタンプ情報を無効にする情報を受信情報として送信して、上記タイムスタンプ情報が記録されている所定領域とイメ−ジ出力領域のいずれか一方又は両方に対して、該タイムスタンプ情報を無効とする処理を行うタイムスタンプ情報無効処理手段と、該所定領域にタイムスタンプ情報以外の情報の存在を読取った場合に、タイムスタンプ情報を出力用紙に出力せずに、送信データのみを送信するタイムスタンプ情報非出力手段、とを具備せしめたことを特徴とするものである。
【００１７】
上記（１）〜（８）で述べた各手段から成る本発明によれば、ファクシミリ（以下単にＦＡＸという）送信する際に、発信側、送信先、送信時刻（具体的には送信開始時刻又は送信完了時刻）等を含めたシンボル化又はデザイン化されたタイムスタンプをデータ化して送信するから、受信側ＦＡＸにおいて印刷する際に、ＦＡＸ情報（イメージ）と共に上記タイムスタンプ情報が所定領域に印刷され、更に、ＦＡＸ本文が書き込まれるスペース上にも、上記タイムスタンプと同様な内容で、又は、関連した内容で透し印刷されるから、送信した情報を不正にコピーし、又は、不正に他に対して再利用／再送信されたりする危険性を防止することができる。
【００１８】
また、本発明では、時刻配信機関から配信された正確公正な時刻をＦＡＸの内部時計に合わせるから、正確な時刻を保証することができる。
【００１９】
更に本発明によれば、不正にＦＡＸを介して他に対して上記ＦＡＸ情報を再送信しようとする場合でも、発信側のＦＡＸが所定領域にタイムスタンプ情報を検知した場合には、該タイムスタンプ情報を無効とするべく無効データ処理を行って送信するから、送信先のＦＡＸ装置では、タイムスタンプ情報に例えば×マーク等の無効シンボルマークを施した状態に印字出力されるため、不正使用を防止することができる。
【００２０】
【発明の実施の形態】
以下に、上述した本発明に係るファクシミリ用送信情報改ざん防止方法及びその装置の実施の形態を図面と共に説明すると、図１は正確公正な時刻情報を取得可能にした時刻情報取得装置の一例を示した構成図であって、図中、５は時刻配信機関で、この時刻配信機関５は例えばＧＰＳ衛星からの時刻情報と、トレース機関からの各種情報を受信して動作するものであって、基準時計としての原子時計５Ａと、制御演算部であるサーバ−５Ｂを有している。
【００２１】
７は、インターネット６或は専用回線を介して上記時刻配信機関５のサーバー５Ｂに接続可能に構成したユーザ（クライアント）のコンピュータ端末機、２は内部時計を備えたキークロック、８Ａは電機コード８を介してコンピュータ端末機７に接続した上記キークロック２の接続口で、この接続口８Ａにキークロック２の接続端子２Ａを差込むことで、時刻配信機関５からの正確公正な時刻情報をユーザのコンピュータ端末機７を介してキークロック２の内部時計に取り込み可能に構成されている。
【００２２】
また、上記のキークロック２は、図２に示すように電話回線４で接続された送信元（発信側）ＦＡＸ１、及び、送信先（受信側）ＦＡＸ３に対して夫々接続自在（着脱自在）に構成されていて、接続（装着）すると各ＦＡＸ１，３の内部時計となる機能を備えている。
【００２３】
図３は、本発明が実施されたＦＡＸ装置１の構成を説明したブロック図で、図中、１０はＦＡＸ装置１の中心を成す制御・演算部、１１はＦＡＸ装置１に装着して内部時計と成った前記キークロック２と制御・演算部１０との間を接続するインターフエイス、１２は光源とＣＣＤアンプ及び２値化処理装置を備えた原稿読取り部、１３は制御・演算部１０に接続した通信制御部、１４は通信制御部１３に送信先ナンバー（ＦＡＸ番号）を入力するテンキー、１５は複数のシンボル化又はデザイン化されたタイムスタンプ印影を保有すると共に、発信毎に発信時刻、受信側ＦＡＸ番号、及び、タイムスタンプ印影のナンバーを保存するスタンプ印影データ保存部を示す。
【００２４】
上記の制御・演算部１０は原稿読み取り部１２を制御して、図４に例示した原稿２０のイメージ２１の読み取りと、原稿２０の所定領域２２に後述するタイムスタンプ印影が存在するか否かの読み取りを行う。原稿読み取り部１２は上記の各読み取り結果から成るデジタルデータを制御・演算部１０に送る。制御・演算部１０はキークロック２から送られて来る信頼できる時刻情報と、スタンプ印影データ保存部１５から送られて来るタイムスタンプ印影に基づいて、シンボル化又はデザイン化された小形のタイムスタンプ印影２３と大形のタイムスタンプ印影２４の各デ−タを作成する（図４参照）。
【００２５】
上記小形のタイムスタンプ印影２３は、図示の如く印刷、記録不可領域である原稿２０の所定利用域２２の部分に印刷されるようにデータ化されて受信側ＦＡＸ３に送信されるものであり、また、大形のタイムスタンプ印影２４は、イメージ２１が出力される出力領域の一部又は全域に渡って出力されるようにデータ化されて受信側ＦＡＸ３に送信されるものであって、特に、大形のタイムスタンプ印影２４に付いては、図４に示した出力用紙２０Ｓにみられるように、出力されたイメージ２１Ｓの視認性を妨げない階調を下げた淡い状態、或は、点線や細線等から成る透し状態で印刷するようにデータ化されている。
【００２６】
尚、図示した上記小形と大形の各タイムスタンプ印影２３，２４の形状は実施の一例であって、予めスタンプ印影データ保存部１５に記憶されている複数の印影の中から、好みの印影を選んで用いたり、或は、複数の印影をランダムに用いるように構成することにより、改ざんの防止を図ることも可能である。また、各タイムスタンプ印影２３，２４には、キークロック２から送られて来る正確公正な送信の日時を現わしたスタンプ情報２３Ｔ，２４Ｔのみが印刷されているが、これも実施の一例であって、送信の日時に加えて発信側ＦＡＸ１の番号を含む識別子や、受信側ＦＡＸ３の番号を含む受信側素子を一緒に印刷するようにデータ化することも可能である。
【００２７】
更に制御・演算部１０は、原稿読み取り部１２から送られて来る原稿のディジタルデータに、原稿２０の所定領域２２にタイムスタンプ印影２３の印刷が認められた検知データが含まれている場合に、該タイムスタンプ印影２３，２４に対し図５に示すように無効処理の記号又は模様等から成る無効シンボルマーク２５，２５′を印刷する状態にして、上記発信側ＦＡＸ１と同様に構成いされている受信側ＦＡＸ３にデータ送信するように構成されている。また、この様に無効シンボルマーク２５，２５′を印刷して出力する場合は、新たなタイムスタンプ２３，２４の生成と印刷は行われないようにデータ化されている。
【００２８】
以上の如く、制御・演算部１０は原稿２０から読み取ったイメージ２１のデータと、正確公正な送信時刻を元に生成した小形と大形のタイムスタンプ印影２３，２４のデータ、及び、タイムスタンプ印影２３を読み取った場合における無効処理の記号又は模様から成るシンボルマーク２５，２５′の送信データから成る潜像データを生成して、通信制御部１３に送る。通信制御部１３はテンキー１４から入力された送信先ＦＡＸナンバーに基づいて、電話回線４を介して上記の潜像データを受信側ＦＡＸ３に送信して、受信側ＦＡＸ３は図４の如く送信されて来たイメージ２１Ｓと小形と大形の各タイムスタンプ印影２３，２４を印刷した出力用紙２０Ｓを出力するか、或は、各タイムスタンプ印影２３，２４に無効処理の記号又は模様から成る無効シンボルマーク２５，２５′を印刷した出力用紙２０Ｓを出力する。
【００２９】
図６は、上述の如く構成した本発明を用いて原稿２０を発信側ＦＡＸ１から受信側ＦＡＸ３に送信する場合の処理手順を説明したフローチャートであって、先ず、ステップＳ１で発信側ＦＡＸ１への原稿２０のセット、及び、テンキー１４による送信先ナンバーの入力操作といった原稿送信操作を済ませると、次のステップＳ２に進んで原稿読み取り部１２による読み取りが成されて、ステップＳ３に進む。
【００３０】
ステップＳ３では、原稿読み取りの結果、原稿２０の所定領域２２（印刷不可領域）に情報が存在するか否かが判定されて、情報がないと判断された場合にはステップＳ４に進んでタイムスタンプの印影を選択し、次いで、ステップＳ５に進んでキークロック２から送られて来る正確公正な時刻に基づいてシンボル化又はデザイン化されたタイムスタンプデータを作成して、ステップＳ６に進む。
【００３１】
ステップＳ６では、上記タイムスタンプデータとイメージ２１のデータから成る潜像データを作成し、次いで、ステップＳ７に進んでこの潜像データを受信側ＦＡＸ３に送信することによって、図４に示すようなイメージ２１Ｓとシンボル化又はデザイン化した小形及び大形のタイムスタンプ印影２３と２４を印刷した出力用紙２０Ｓが出力され、最後にこれ等送信情報を各ＦＡＸ１，３のメモリ（図示省略）に保存して、処理を終える。
【００３２】
また、前記ステップＳ３で読み取った原稿２０の所定領域２２に情報ありと判定された場合は、ステップＳ９に進んでその情報がタイムスタンプ印影２３であるか否かが判定され、ＹＥＳの場合は次のステップＳ１０に進んでタイムスタンプ印影２３，２４を無効にするためのシンボルマーク２５，２５′を作成し、次いで、ステップＳ１１に進んで上記シンボルマーク２５，２５′に相当する潜像データを作成した後、この潜像データを受信側ＦＡＸ３に送信することにより、図５に示したように既に印刷されているタイムスタンプ印影２３，２４に対して、無効のシンボルマーク２５，２５′を印刷することにより、使用を無効とした出力用紙２０Ｓを出力して処理を終える。
【００３３】
更に、上記のステップＳ９でタイムスタンプ印影２３，２４ではないと判定された場合、即ち、所定領域２２にタイムスタンプ印影２３以外の情報が印刷されている場合には、ステップＳ１３に進んで原稿読み取り部１２が読み取った読み取りデータを元にそのまま送信データを作成し、次いでステップＳ１４でタイムスタンプ印影２３，２４が無い状態でこの送信データをそのまま受信側ＦＡＸ３に送信して、処理を終える。
【００３４】
【発明の効果】
以上述べた次第で、本発明に係るファクシミリ用送信情報改ざん防止方法及びその装置を、発信側及び受信側の各ＦＡＸに実施するか、或は、少くとも発信側のＦＡＸに実施することによって、ＦＡＸ原稿に正確公正な送信開始時刻又は送信完了時刻を元に作成した大小２つのシンボル化又はデザイン化されたタイムスタンプ印影を付して送信し、これを受信情報として印刷紙に出力することができる。また、送信されて来る原稿のイメージ部分には、その出力領域の全部又は一部に渡って大形のタイムスタンプ印影を、イメージを視認可能な透かし印字の状態で印刷するため、受信後に送信されて来た書類に印刷されているイメージの内容や、タイムスタンプの送信時刻等を改ざんすることが不可能に成って、ＦＡＸ送信されたイメージの内容と正確な送信開始時刻又は送信完了時刻とを保障することができる。
【００３５】
また、本発明によれば１度ＦＡＸ送信された書類等を再度ＦＡＸ送信する場合は、始めに印刷されたタイムスタンプ印影の上に無効のシンボルマークが印刷されて出力されるため、始めに送信されて来たタイムスタンプ印影付きの書類等を第三者にそのままＦＡＸで再送信して、ＦＡＸ通信の送信開始時刻又は送信完了時刻を、始めの時刻に置き換えてしまう不正を防止することができる。
【００３６】
従って本発明によれば、ＦＡＸの時刻情報の正確性と公正性を保証できると共に、送信内容と送信時刻の確認と事後の検証を可能にするため、ＦＡＸベースでの各種商取引等における証拠性を高めることができる。
【図面の簡単な説明】
【図１】正確公正な時刻を得るための時刻取得装置の構成を説明した構成図。
【図２】正確公正な時刻を取得したキークロックをＦＡＸの内部時計として用いる場合の構成を説明した構成図。
【図３】本発明に係るＦＡＸ装置の電機的構成を説明したブロック図。
【図４】本発明を用いて書類をＦＡＸ送信している状態を説明した構成図。
【図５】本発明を用いて書類をＦＡＸ送信するに当ってタイムスタンプに無効のシンボルマークを付して送信している状態を説明した構成図。
【図６】本発明の処理手順を説明したフローチャート。
【符号の説明】
１              発信側ＦＡＸ
２              キークロック
３              受信側ＦＡＸ
４              電話回線
１０            制御・演算部
１５            タイムスタンプ印影データ保存部
２０            原稿
２０Ｓ          出力用紙（出力紙面）
２１            イメージ
２２            所定領域
２３，２４                タイムスタンプ印影
２３Ｔ，２４Ｔ            印刷された送信開始時刻又は送信完了時刻
２５，２５′              無効のシンボルマーク
【図１】
2004253941.tif 000003
【図２】
2004253941.tif 000004
【図３】
2004253941.tif 000005
【図４】
2004253941.tif 000006
【図５】
2004253941.tif 000007
【図６】
2004253941.tif 000008